(57)【特許請求の範囲】
【請求項１】
合成樹脂製パレットの上部デッキに、平面形状が長方形状に形成され、四方が垂直内壁により囲まれた固定具嵌着空間部が形成されるとともに、当該固定具嵌着空間部に所定の固定具が嵌着される合成樹脂製パレットであって、
前記固定具嵌着空間部には、額縁状水平枠が設けられ、
前記固定具は、箱状に形成された本体部を有しており、当該本体部の下端部には、周状リブが形成され、前記周状リブの下面には、下端部から外側に延在する係止部を備えた対となる係止突部が設けられ、
前記固定具嵌着空間部に前記固定具が嵌着された場合には、前記額縁状水平枠が前記周状リブと前記係止部とで挟持されるように構成し、
さらに、前記本体部の側壁と前記周状リブとにより形成される隅部には、前記固定具の嵌着状態において前記固定具嵌着空間部の内壁に接近して位置する傾倒防止リブを形成したことを特徴とする合成樹脂製パレット。
【発明の詳細な説明】
【技術分野】
【０００１】
本発明は、コンテナーの運搬、移送、保管等に使用される合成樹脂製パレットに関するものである。
【背景技術】
【０００２】
従来、合成樹脂製パレットの上部デッキに形成された凹部に、全体が、ゴム等の弾性材料からなるグロメットを嵌着した合成樹脂製パレットが、一例として、特許文献１や特許文献２に開示されている。
【先行技術文献】
【特許文献】
【０００３】
【特許文献１】実公平６−２７５４９号公報
【０００４】
【特許文献２】特開平７−１３７７４１号公報
【発明の概要】
【発明が解決しようとする課題】
【０００５】
合成樹脂製パレットの上部デッキに、コンテナーが載置された際には、コンテナーの底部が、合成樹脂製パレットの上部デッキに配設されたゴム等の弾性材料からなるグロメットに当接し、グロメットの摩擦力により、コンテナーの水平移動を防止するように構成されているが、このような、グロメットの摩擦力だけでは、確実に、コンテナーの水平移動を防止することができないという問題があった。特に、フォークリフトでの作業時に、フォークリフトの急発進や急停止により、合成樹脂製パレットに載置されたコンテナーが水平移動し、合成樹脂製パレットから落下する等の問題があった。また、グロメットに水や油が付着している場合には、グロメットの摩擦力が低下し、より、コンテナーが水平移動しやするなるという問題があった。
【０００６】
本発明の目的は、上述した従来の合成樹脂製パレットが有する課題を解決することにある。
【課題を解決するための手段】
【０００７】
本発明は、上述した目的を達成するために、合成樹脂製パレットの上部デッキに、平面形状が長方形状に形成され、四方が垂直内壁により囲まれた固定具嵌着空間部が形成されるとともに、当該固定具嵌着空間部に所定の固定具が嵌着される合成樹脂製パレットであって、
前記固定具嵌着空間部には、額縁状水平枠が設けられ、
前記固定具は、箱状に形成された本体部を有しており、当該本体部の下端部には、周状リブが形成され、前記周状リブの下面には、下端部から外側に延在する係止部を備えた対となる係止突部が設けられ、
前記固定具嵌着空間部に前記固定具が嵌着された場合には、前記額縁状水平枠が前記周状リブと前記係止部とで挟持されるように構成し、
さらに、前記本体部の側壁と前記周状リブとにより形成される隅部には、前記固定具の嵌着状態において前記固定具嵌着空間部の内壁に接近して位置する傾倒防止リブを形成したものである。
【発明の効果】
【０００８】
合成樹脂製パレットの上部デッキに固定具嵌着空間部を形成するとともに、固定具嵌着空間部に嵌着される固定具には、固定具嵌着空間部の内壁に接近して位置する傾倒防止リブを形成したので、固定具嵌着空間部に嵌着された固定具に、水平方向の負荷が加わっても、固定具が、固定具嵌着空間部内において傾動するようなことがなく、従って、固定具の固定具嵌着空間部からの抜け出しを防止することができるとともに、合成樹脂製パレット同士やコンテナーが載置された合成樹脂製パレット同士を、安定した状態で段積みすることができる。
【図面の簡単な説明】
【０００９】
【図１】図１は、本発明の合成樹脂製パレットの上方からの斜視図である。
【図２】図２は、本発明の合成樹脂製パレットの裏面からの斜視図である。
【図３】図３は、本発明の合成樹脂製パレットを構成する下部スキッドの裏面からの斜視図である。
【図４】図４は、本発明の合成樹脂製パレットを構成する上部スキッドの上方からの斜視図である。
【図５】図５は、本発明の合成樹脂製パレットの部分拡大斜視図である。
【図６】図６は、本発明の合成樹脂製パレットを構成する下部スキッドの一部断面図を含む部分拡大斜視図である。
【図７】図７は、後述する図２８のＩーＩに沿った垂直断面図である。
【図８】図８は、後述する図２８のIIーIIに沿った垂直断面図である。
【図９】図９は、後述する図２８のIIIーIIIに沿った垂直断面図である。
【図１０】図１０は、本発明の合成樹脂製パレットの一部断面図を含む部分拡大斜視図である。
【図１１】図１１は、同じく、本発明の合成樹脂製パレットの一部断面図を含む部分拡大斜視図である。
【図１２】図１２は、同じく、本発明の合成樹脂製パレットの一部断面図を含む部分拡大斜視図である。
【図１３】図１３は、本発明の合成樹脂製パレットを構成する固定具の斜視図である。
【図１４】図１４は、同じく、本発明の合成樹脂製パレットを構成する固定具の斜視図である。
【図１５】図１５は、同じく、本発明の合成樹脂製パレットを構成する固定具の一部断面図を含む斜視図である。
【図１６】図１６は、本発明の合成樹脂製パレットの拡大部と固定具の斜視図である。
【図１７】図１７は、本発明の合成樹脂製パレットの拡大部と一部断面図を含む固定具の斜視図である。
【図１８】図１８は、同じく、本発明の合成樹脂製パレットの拡大部と一部断面図を含む固定具の斜視図である。
【図１９】図１９は、本発明の合成樹脂製パレットの斜視図である。
【図２０】図２０は、本発明の合成樹脂製パレットに載置されるコンテナーの斜視図である。
【図２１】図２１は、同じく、本発明の合成樹脂製パレットに載置されるコンテナーの斜視図である。
【図２２】図２２は、コンテナーが載置された状態の本発明の合成樹脂製パレットの斜視図である。
【図２３】図２３は、本発明の合成樹脂製パレットに載置されるコンテナーが段積みされた状態の斜視図である。
【図２４】図２４は、本発明の合成樹脂製パレットが段積みされた状態の斜視図である。
【図２５】図２５は、本発明の合成樹脂製パレットが段積みされた状態の一部断面図を含む部分拡大斜視図である。
【図２６】図２６は、本発明の合成樹脂製パレットにコンテナーが載置された状態の一部断面図を含む部分拡大斜視図である。
【図２７】図２７は、コンテナーが載置された状態の本発明の合成樹脂製パレットに更に合成樹脂製パレットが載置された状態の一部断面図を含む拡大斜視図である。
【図２８】図２８は、コンテナーが載置された状態の本発明の合成樹脂製パレットの一部断面図を含む裏面図である。
【実施例】
【００１０】
以下に、本発明の実施例について説明するが、本発明の趣旨を越えない限り何ら、本実施例に限定されるものではない。
【００１１】
先ず最初に、図１〜図５を用いて、合成樹脂製パレットの全体構成について説明する。この実施例における合成樹脂製パレットＰは、公知のように、合成樹脂製パレットＰの半製品である下部スキッドＰ１と上部スキッドＰ２とから形成されている。
【００１２】
下部スキッドＰ１は、四隅に形成された隅桁部１’と、隅桁部１’の中間に形成された中間桁部２’と、下部スキッドＰ１の中央部に形成された中央桁部３’とを有しており、隅桁部１’と中間桁部２’とは、隅桁・中間桁下部連結桟４’により連結されており、また、中間桁部２’と中央桁部３’とは、中間桁・中央桁下部連結桟５’により連結されている。更に、互いに直交する隅桁・中間桁下部連結桟４’と、互いに直交する中間桁・中央桁下部連結桟５’とにより囲まれた領域には、方形状の開口部６が形成されている。
【００１３】
上部スキッドＰ２は、下部スキッドＰ１と同様に、四隅に形成された隅桁部１”と、隅桁部１”の中間部に形成された中間桁部２”と、上部スキッドＰ２の中央部に形成された中央桁部３”とを有しており、隅桁部１”と中間桁部２”とは、下部スキッドＰ１と同様の隅桁・中間桁上部連結桟４”により連結されており、また、中間桁部２”と中央桁部３”も、下部スキッドＰ１と同様の中間桁・中央桁上部連結桟５”により連結されている。なお、下部スキッドＰ１に形成されている開口部６には、上部スキッドＰ２においては、交差桟部７が形成されており、上部スキッドＰ２には、開口部６は形成されていない。
【００１４】
上述したように、下部スキッドＰ１には開口部６が形成されており、また、上部スキッドＰ２においては、下部スキッドＰ１に形成されている開口部６に、交差桟部７が形成されている以外は、以下に説明する構成部材を含めて、同一に形成されている。
【００１５】
下部スキッドＰ１の隅桁部１’と上部スキッドＰ２の隅桁部１”の端面同士を溶着することにより、隅桁１が形成され、また、下部スキッドＰ１の中間桁部２’と上部スキッドＰ２の中間桁部２”の端面同士を溶着することにより、中間桁２が形成され、更に、下部スキッドＰ１の中央桁部３’と上部スキッドＰ２の中央桁部３”の端面同士を溶着することにより、中央桁３が形成されることになる。
【００１６】
上述したように形成された合成樹脂製パレットＰは、隅桁１の上面と、中間桁２の上面と、中央桁３の上面と、隅桁・中間桁上部連結桟４”の上面と、中間桁・中央桁上部連結桟５”の上面と、交差桟部７の上面とにより、後述するコンテナーが載置される上部デッキＰ”が形成されており、隅桁１の下面と、中間桁２の下面と、中央桁３の下面と、隅桁・中間桁下部連結桟４’の下面と、中間桁・中央桁下部連結桟５’の下面とにより、下部デッキＰ’が形成されている。本実施例においては、合成樹脂製パレットＰは、平面形状が、長方形状に形成されており、合成樹脂製パレットＰの長辺に沿った方向を、以下においては、合成樹脂製パレットＰの長辺方向（図１において、ＸーＸ方向）と称し、合成樹脂製パレットＰの短辺に沿った方向を、以下においては、合成樹脂製パレットＰの短辺方向（図１において、ＹーＹ方向）と称する。
【００１７】
合成樹脂製パレットＰの短辺方向に沿った中間桁２の外側に形成された凹部８内には、上部デッキＰ”及び下部デッキＰ’から、互いに接近する方向に垂下されたフック係止片８ａが延設されており、相対するフック係止片８ａ間には、所定の間隙が形成されている。このようなフック係止片８ａは、合成樹脂製パレットＰに載置されたコンテナーを緊締する緊締バンドの端部を引っ掛けるためのものであり、このような構成は公知であるので、その詳細は省略する。
【００１８】
図５に示されているように、合成樹脂製パレットＰの短辺方向に沿った隅桁・中間桁上部連結桟４”の端面４ａ”及び隅桁・中間桁下部連結桟４’の端面４ａ’は、合成樹脂製パレットＰの短辺方向に位置する隅桁１の外面１ａ及び中間桁２の外面２ａより、所定の距離Ｄだけ、引っ込んだ位置に形成されており、このように構成することにより、合成樹脂製パレットＰの短辺方向に沿った隅桁・中間桁上部連結桟４”及び隅桁・中間桁下部連結桟４’には、後述するコンテナーの突部が嵌合する嵌合凹部Ｖが形成されている。
【００１９】
図６〜図９に示されているように、開口部６は、合成樹脂製パレットＰの短辺方向に沿った隅桁・中間桁下部連結桟４’を構成する開口部側桟Ｓ１と、該開口部側桟Ｓ１と相対する中間桁・中央桁下部連結桟５’を構成する開口部側桟Ｓ２と、合成樹脂製パレットＰの長辺方向に沿った隅桁・中間桁下部連結桟４’を構成する開口部側桟Ｓ３と、該開口部側桟Ｓ３と相対する中間桁・中央桁下部連結桟５’の開口部側桟Ｓ４とにより囲まれている。
【００２０】
上述した開口部６を形成する隅桁・中間桁下部連結桟４’の開口部側桟Ｓ１と、該開口部側桟Ｓ１と相対する中間桁・中央桁下部連結桟５’を構成する開口部側桟Ｓ２と、合成樹脂製パレットＰの長辺方向に沿った隅桁・中間桁下部連結桟４’を構成する開口部側桟Ｓ３と、該開口部側桟Ｓ３と相対する中間桁・中央桁下部連結桟５’の開口部側桟Ｓ４とは、実質的に同じ構成を有している。
【００２１】
以下に、開口部６を形成する隅桁・中間桁下部連結桟４’の開口部側桟Ｓ１と、該開口部側桟Ｓ１と相対する中間桁・中央桁下部連結桟５’を構成する開口部側桟Ｓ２と、合成樹脂製パレットＰの長辺方向に沿った隅桁・中間桁下部連結桟４’を構成する開口部側桟Ｓ３と、該開口部側桟Ｓ３と相対する中間桁・中央桁下部連結桟５’の開口部側桟Ｓ４とについて説明するが、開口部側桟Ｓ１、Ｓ２、Ｓ３、Ｓ４については、実質的に同じ構成を有しているので、図７に示されている隅桁・中間桁下部連結桟４’の開口部側桟Ｓ１を用いて、開口部側桟Ｓ１について説明する。
【００２２】
隅桁・中間桁下部連結桟４’を構成する開口部側桟Ｓ１は、垂直部ｓ１と、該垂直部ｓ１の上端から、開口部６に向かって水平方向に延在する水平部ｓ２と、該水平部ｓ２の端辺から、開口部６に向かって下方に延在する傾斜部ｓ３と、該傾斜部ｓ３の端辺から、垂直に延在する垂直部ｓ４とから、開口部側桟Ｓ１の長手方向に対して垂直な断面形状が、略逆Ｕ字状に形成されている。また、開口部側桟Ｓ１を構成する垂直部ｓ４の下端部の開口部６側の角部には、開口部６から遠ざかる方向に延在する案内傾斜面ｓ４ａが形成されている。
【００２３】
合成樹脂製パレットＰの短辺方向に沿った隅桁・中間桁下部連結桟４’を構成する、開口部側桟Ｓ１と相対する桟Ｓ５（以下、外側桟と称する。）も、開口部側桟Ｓ１と同様に、外側桟Ｓ５の長手方向に対して垂直な断面形状が、略逆Ｕ字状に形成されている。即ち、外側桟Ｓ５は、開口部側桟Ｓ１の垂直部ｓ１と相対する垂直部ｓ１’と、該垂直部ｓ１’の上端から、外側方向（開口部６から遠ざかる方向）に向かって水平方向に延在する水平部ｓ２’と、該水平部ｓ２’の端辺から、外側方向（開口部６から遠ざかる方向）に向かって下方に延在する傾斜部ｓ３’と、該傾斜部ｓ３’の端辺から、垂直に延在する垂直部ｓ４’とから構成されている。また、外側桟Ｓ５を構成する垂直部ｓ４’の下端部の外側角部には、開口部６方向に延在する案内傾斜面ｓ４ａ’が形成されている。
【００２４】
図９には、合成樹脂製パレットＰの長辺方向に沿った隅桁・中間桁下部連結桟４’を構成する開口部側桟Ｓ３の長手方向に対して垂直な断面が示されている。開口部側桟Ｓ３も、垂直部ｓ１と、該垂直部ｓ１の上端から、開口部６に向かって水平方向に延在する水平部ｓ２と、該水平部ｓ２の端辺から、開口部６に向かって下方に延在する傾斜部ｓ３と、該傾斜部ｓ３の端辺から、垂直に延在する垂直部ｓ４とから、開口部側桟Ｓ１の長手方向に対して垂直な断面形状が、略逆Ｕ字状に形成されており、垂直部ｓ４の下端部の開口部６側の角部には、開口部６から遠ざかる方向に延在する案内傾斜面ｓ４ａが形成されている。
【００２５】
上述したように、開口部６は、合成樹脂製パレットＰの短辺方向に沿った隅桁・中間桁下部連結桟４’を構成する開口部側桟Ｓ１と、該開口部側桟Ｓ１と相対する中間桁・中央桁下部連結桟５’を構成する開口部側桟Ｓ２と、合成樹脂製パレットＰの長辺方向に沿った隅桁・中間桁下部連結桟４’を構成する開口部側桟Ｓ３と、該開口部側桟Ｓ３と相対する中間桁・中央桁下部連結桟５’の開口部側桟Ｓ４とにより囲まれており、また、開口部側桟Ｓ１、Ｓ２、Ｓ３、Ｓ４を構成する垂直部ｓ４の下端部の開口部６側の角部には、開口部６から遠ざかる方向に延在する案内傾斜面ｓ４ａが形成されており、換言すれば、開口部６の周辺部は、開口部６から遠ざかる方向に延在する案内傾斜面ｓ４ａにより囲まれていることになる。
【００２６】
図１及び図２に示されているように、合成樹脂製パレットＰの長辺方向に沿って位置する一対の中間桁２と、該中間桁２間に位置する中央桁３と、合成樹脂製パレットＰの長辺方向に沿って位置する中間桁・中央桁下部連結桟５’と、合成樹脂製パレットＰの長辺方向に沿って位置する中間桁・中央桁上部連結桟５”の上部デッキＰ”及び下部デッキＰ’には、合成樹脂製パレットＰの短辺方向に沿って、それぞれ、一対の固定具嵌着空間部Ｃが形成されている。中間桁２と中央桁３と中間桁・中央桁下部連結桟５’と中間桁・中央桁上部連結桟５”の上部デッキＰ”及び下部デッキＰ’に形成された固定具嵌着空間部Ｃは、合成樹脂製パレットＰの長辺方向に沿って、一直線状に配置されているとともに、上部デッキＰ”及び下部デッキＰ’に形成された固定具嵌着空間部Ｃは、平面的に見て、重なるように構成されている。
【００２７】
図１０〜図１２に示されているように、固定具嵌着空間部Ｃは、合成樹脂製パレットＰの長辺方向に沿って延在する相対する垂直長辺側内壁ｃ１と合成樹脂製パレットＰの短辺方向に沿って延在する相対する垂直短辺側内壁ｃ２とにより囲まれており、平面形状が長方形状に形成されている。また、固定具嵌着空間部Ｃの上下方向の中程には、垂直長辺側内壁ｃ１と垂直短辺側内壁ｃ２とに沿って、額縁状水平枠ｃ３が形成されており、また、固定具嵌着空間部Ｃには、額縁状水平枠ｃ３の相対する長辺部ｃ３ａの中央部を連結する架橋リブｃ４が形成されている。
【００２８】
次に、図１３〜図１５を用いて、固定具嵌着空間部Ｃに嵌着される固定具Ｅについて説明する。
【００２９】
固定具Ｅは、天部ｅ１と、天部ｅ１の長辺から垂設された相対する長側壁ｅ２と、天部ｅ１の短辺から垂設された相対する短側壁ｅ３とから、下方が開放された箱型に形成された本体部Ｅ１を有しており、また、本体部Ｅ１の下端部には、水平方向に延在する周状リブｅ４が形成されている。更に、本体部Ｅ１の長側壁ｅ２と周状リブｅ４及び短側壁ｅ３と周状リブｅ４とにより形成される隅部には、本体部Ｅ１の中程まで延在する垂直な傾倒防止リブｅ５が、適当数、形成されている。
【００３０】
本体部Ｅ１に形成された周状リブｅ４の長側壁ｅ２側の周状リブｅ４の下面ｅ４ａには、それぞれ、所定の間隔を置いて、係止突部ｅ６が垂下されており、係止突部ｅ６は、周状リブｅ４の下面ｅ４ａに垂直な弾性変形可能な垂直部ｅ６ａと、垂直部ｅ６ａの下端部から外側に延在する係止部ｅ６ｂとから構成されている。また、本体部Ｅ１の長側壁ｅ２に沿った係止部ｅ６ｂの外面には、互いに接近する方向に延在する傾斜面ｅ６ｂ’が形成されている。なお、ｅ７は、本体部Ｅ１の相対する長側壁ｅ２を架橋する、相対する短側壁ｅ３に平行な補強区画リブである。
【００３１】
図１６に示されているように、上部デッキＰ”に形成された固定具嵌着空間部Ｃに、固定具Ｅを嵌着する際には、固定具嵌着空間部Ｃの上方に、係止突部ｅ６を下にして、且つ、固定具Ｅを構成する本体部Ｅ１の長側壁ｅ２と固定具嵌着空間部Ｃの垂直長辺側内壁ｃ１とが一致するとともに、固定具Ｅを構成する本体部Ｅ１の短側壁ｅ３と固定具嵌着空間部Ｃの垂直短辺側内壁ｃ２とが一致するように、固定具Ｅを配置する。その後、固定具Ｅを下降させると、固定具Ｅの係止突部ｅ６が、固定具嵌着空間部Ｃの額縁状水平枠ｃ３に当接することになるが、更に、固定具Ｅを下降させると、係止突部ｅ６が、係止部ｅ６ｂの傾斜面ｅ６ｂ’に案内されながら、弾性変形し、額縁状水平枠ｃ３を越えた時点で、係止突部ｅ６の弾性復元力により、元の位置に戻る。このように、係止突部ｅ６が元の位置に戻った際には、図１７に示されているように、固定具嵌着空間部Ｃの額縁状水平枠ｃ３が、固定具Ｅの周状リブｅ４と係止突部ｅ６の係止部ｅ６ｂとにより挟持されるように構成されているとともに、図１８に示されているように、固定具Ｅの本体部Ｅ１に形成された周状リブｅ４の長側壁ｅ２側に沿って形成された一対の係止突部ｅ６間に、架橋リブｃ４が位置するように構成されている。更に、固定具Ｅを構成する本体部Ｅ１の長側壁ｅ２と周状リブｅ４及び短側壁ｅ３と周状リブｅ４とにより形成される隅部に形成された傾倒防止リブｅ５が、固定具嵌着空間部Ｃの垂直長辺側内壁ｃ１及び垂直短辺側内壁ｃ２に接近して位置するように構成されている。
【００３２】
上述したようにして、図１９に示されているように、上部デッキＰ”に形成された固定具嵌着空間部Ｃに、固定具Ｅが、その上部が上部デッキＰ”から突出するように嵌着されることになる。このような固定具Ｅは、下部デッキＰ’に形成された固定具嵌着空間部Ｃに嵌着されてはおらず、上部デッキＰ”に形成された固定具嵌着空間部Ｃのみに嵌着されることになる。
【００３３】
次に、図２０及び図２１を用いて、上述した合成樹脂製パレットＰの上部デッキＰ”に載置される一例としてのコンテナーＨについて説明する。
【００３４】
コンテナーＨは、底部ｈ１と相対する長側壁ｈ２と相対する短側壁ｈ３とにより箱型に形成されている。相対する長側壁ｈ２の上端フランジｈ２ａの上面には、それぞれ、２個の端部側突条ｈ４が突設されており、２個の端部側突条ｈ４間には、中央嵌合凹部ｈ５が形成されている。また、相対する長側壁ｈ２の下端フランジｈ２ｂの下面の両端には、それぞれ、底部ｈ１より下方に延在する端部突条ｈ６が形成されており、更に、長側壁ｈ２に形成された中央嵌合凹部ｈ５の真下に位置する下端フランジｈ２ｂの下面には、底部ｈ１より下方に延在する中央突条ｈ７が形成されており、端部突条ｈ６と中央突条ｈ７とにより、端部側嵌合凹部ｈ８が形成されている。なお、端部突条ｈ６を、短側壁ｈ３の下端フランジｈ３の下面方向まで延在し、端部突条ｈ６の裏面形状を、略Ｌ字状に形成することもできる。
【００３５】
コンテナーＨの底部ｈ１は、底板ｈ１ａの裏面に形成された、長側壁ｈ２に平行な多数のリブｈ１ｂと、底板ｈ１ａの裏面に形成された、短側壁ｈ３に平行な多数のリブｈ１ｃとから、交差リブ構造に形成されている。底部ｈ１の交差リブ構造の中央部には、所定の間隔を置いて、２個の固定具嵌合凹部ｈ９が形成されている。固定具嵌合凹部ｈ９は、相対する長側壁ｈ２に平行なリブｈ１ｂと相対する短側壁ｈ３に平行なリブｈ１ｃとにより囲まれており、固定具嵌合凹部ｈ８は、短側壁ｈ３に沿った長さが、長側壁ｈ２に沿った長さより長い、長方形に形成されている。
【００３６】
上述したコンテナーＨの長側壁ｈ２の横幅は、合成樹脂製パレットＰの短辺方向に沿った長さと同じ長さに形成されており、また、合成樹脂製パレットＰの長辺方向に沿った長さは、コンテナーＨの短側壁ｈ３の横幅の整数倍となるように構成されている。図２２には、一例として、合成樹脂製パレットＰの上部デッキＰ”に、５個のコンテナーＨが、長側壁ｈ２同士が当接するように載置されている例が示されている。
【００３７】
コンテナーＨを段積みした際には、上に位置するコンテナーＨａの端部突条ｈ６が、下に位置するコンテナーＨｂの長側壁ｈ２の上端フランジｈ２ａの上面に載置され、また、上に位置するコンテナーＨａの端部側嵌合凹部ｈ８には、下に位置するコンテナーＨｂの端部側突条ｈ４が嵌合され、更に、上に位置するコンテナーＨａの中央突条ｈ７が、下に位置するコンテナーＨｂの中央嵌合凹部ｈ５に嵌合されて、図２３に示されているように、コンテナーＨが段積みされるように構成されている。このように構成することにより、コンテナーＨ同士を、安定した状態で段積みすることができる。
【００３８】
また、図２４に示されているように、合成樹脂製パレットＰ同士を段積みした際には、図２５に示されているように、下に位置する合成樹脂製パレットＰｂの上部デッキＰ”の固定具嵌着空間部Ｃに嵌着された固定具Ｅの上部が、上に位置する合成樹脂製パレットＰａの下部デッキＰ’に形成された固定具嵌着空間部Ｃに挿入されるように構成されており、従って、段積みされた合成樹脂製パレットＰの水平方向への移動が阻止され、安定した状態で、合成樹脂製パレットＰ同士を段積みすることができる。
【００３９】
更に、図２２に示されているように、合成樹脂製パレットＰの上部デッキＰ”に、コンテナーＨの長側壁ｈ２の方向と合成樹脂製パレットＰの短辺に沿った方向とが一致するように配置するとともに、上部デッキＰ”の固定具嵌着空間部Ｃに嵌着された固定具Ｅの上部を、図２６に示されているように、コンテナーＨの底部ｈ１に形成された固定具嵌合凹部ｈ９に挿入することにより、コンテナーＨの水平方向への移動を阻止することができ、従って、摩擦力により、コンテナーＨの滑りを防止するようにした従来のゴム製のグロメットに比べ、合成樹脂製パレットＰの上部デッキＰ”に載置されているコンテナーＨの滑りを、確実に防止することができる。
【００４０】
更にまた、固定具Ｅを構成する本体部Ｅ１の長側壁ｅ２と周状リブｅ４とにより形成された隅部及び短側壁ｅと周状リブｅ４とにより形成された隅部に形成された傾倒防止リブｅ５が、合成樹脂製パレットＰに形成された固定具嵌着空間部Ｃの垂直長辺側内壁ｃ１及び垂直短辺側内壁ｃ２に接近して位置するように構成されているので、段積みされた上に位置する合成樹脂製パレットＰａや合成樹脂製パレットＰの上部デッキＰ”に載置されたコンテナーＨに、水平方向の負荷が加わっても、固定具Ｅが、固定具嵌着空間部Ｃ内において傾動するようなことがなく、従って、段積みされた上に位置する合成樹脂製パレットＰａや上部デッキＰ”に載置されたコンテナーＨが、水平方向に移動するようなことを阻止できる。
【００４１】
なお更に、固定具Ｅを構成する本体部Ｅ１の長側壁ｅ２と周状リブｅ４とにより形成された隅部及び短側壁ｅと周状リブｅ４とにより形成された隅部に形成された傾倒防止リブｅ５が、合成樹脂製パレットＰに形成された固定具嵌着空間部Ｃの垂直長辺側内壁ｃ１及び垂直短辺側内壁ｃ２に接近して位置するように構成されているので、固定具嵌着空間部Ｃに嵌着され、上部デッキＰ”から突出している固定具Ｅの上部に、水平方向の負荷が加わっても、固定具Ｅが、固定具嵌着空間部Ｃ内において傾動するようなことがなく、従って、固定具Ｅの固定具嵌着空間部Ｃからの抜け出しを防止することができる。
【００４２】
次に、図６〜図９、図２７及び図２８を用いて、合成樹脂製パレットＰの上部デッキＰ”に、一例として、５個のコンテナーＨが載置されているコンテナーＨの上に、更に、合成樹脂製パレットＰを載置する場合について説明する。
【００４３】
上述したように、合成樹脂製パレットＰの上部デッキＰ”に、コンテナーＨが載置されることになるが、下に位置する合成樹脂製パレットＰｂの上部デッキＰ”に載置されたコンテナーＨに、更に、他の合成樹脂製パレットＰが載置された際には、下に位置する合成樹脂製パレットＰｂの端部に載置されたコンテナーＨの相対する長側壁ｈ２の上端フランジｈ２ａの上面に突設された相対する端部側突条ｈ４のうちの外側桟Ｓ５側の端部側突条ｈ４が、上に位置する合成樹脂製パレットＰａを構成する下部スキッドＰ１の隅桁・中間桁下部連結桟４’に形成された嵌合凹部Ｖに挿入されるように構成されており、また、長側壁ｈ２の上端フランジｈ２ａの上面に突設された相対する端部側突条ｈ４のうちのもう一方の端部側突条ｈ４が、上に位置する合成樹脂製パレットＰａに形成された開口部６に挿入されるように構成されている。
【００４４】
また、下に位置する合成樹脂製パレットＰｂの端部に載置されたコンテナーＨの間に載置されたコンテナーＨの相対する長側壁ｈ２の上端フランジｈ２ａの上面に突設された相対する端部側突条ｈ４は、共に、上に位置する合成樹脂製パレットＰａに形成された開口部６に挿入されるように構成されている。
【００４５】
上述したようにして、下に位置する合成樹脂製パレットＰｂの上部デッキＰ”に載置されたコンテナーＨが、上に位置する合成樹脂製パレットＰａに載置された際には、下に位置する合成樹脂製パレットＰｂの端部に載置されたコンテナーＨの相対する長側壁ｈ２の上端フランジｈ２ａの上面に突設された相対する端部側突条ｈ４のうちの外側桟Ｓ５側の端部側突条ｈ４が、上に位置する合成樹脂製パレットＰａを構成する下部スキッドＰ１の隅桁・中間桁下部連結桟４’に形成された嵌合凹部Ｖに挿入されるように構成されており、また、長側壁ｈ２の上端フランジｈ２ａの上面に突設された相対する端部側突条ｈ４のうちのもう一方の端部側突条ｈ４が、上に位置する合成樹脂製パレットＰａに形成された開口部６に挿入されるように構成されており、更に、下に位置する合成樹脂製パレットＰｂの端部に載置されたコンテナーＨの間に載置されたコンテナーＨの相対する長側壁ｈ２の上端フランジｈ２ａの上面に突設された相対する端部側突条ｈ４が、共に、上に位置する合成樹脂製パレットＰａに形成された開口部６に挿入されるように構成されているので、上に位置する合成樹脂製パレットＰａが、下に位置する合成樹脂製パレットＰｂの上部デッキＰ”に載置されたコンテナーＨに対して、水平方向に移動するようなことを防止することができ、従って、コンテナーＨが載置された合成樹脂製パレットＰを、安定した状態で段積みすることができる。
【００４６】
また、上述したように、コンテナーＨの上に載置される合成樹脂製パレットＰａを構成する下部デッキＰ’の開口部６を形成する隅桁・中間桁下部連結桟４’の開口部側桟Ｓ１と、該開口部側桟Ｓ１と相対する中間桁・中央桁下部連結桟５’を構成する開口部側桟Ｓ２と、合成樹脂製パレットＰの長辺方向に沿った隅桁・中間桁下部連結桟４’を構成する開口部側桟Ｓ３と、該開口部側桟Ｓ３と相対する中間桁・中央桁下部連結桟５’の開口部側桟Ｓ４とには、それぞれ、開口部６から遠ざかる方向に延在する案内傾斜面ｓ４ａが形成されているので、下に位置する合成樹脂製パレットＰｂの上部デッキＰ”に載置されたコンテナーＨに、上に位置する合成樹脂製パレットＰａを構成する下部デッキＰ’が載置される際には、下に位置する合成樹脂製パレットＰｂの上部デッキＰ”に載置されたコンテナーＨの長側壁ｈ２の上端フランジｈ２ａの上面に突設された端部側突条ｈ４が、上に位置する合成樹脂製パレットＰａの下部デッキＰ’の開口部６の周囲に形成された内傾斜面ｓ４ａに沿って案内されながら、上に位置する合成樹脂製パレットＰｂの下部デッキＰ’に形成された開口部６に挿入されることになり、また、上述したように、合成樹脂製パレットＰを構成する下部デッキＰ’の短辺方向に沿った隅桁・中間桁下部連結桟４’の外側桟Ｓ５を構成する垂直部ｓ４’の下端部の外側角部には、開口部６方向に延在する案内傾斜面ｓ４ａ’が形成されているので、下に位置する合成樹脂製パレットＰｂの上部デッキＰ”に載置されたコンテナーＨの相対する長側壁ｈ２のうちの外側に位置する長側壁ｈ２の上端フランジｈ２ａの上面に突設された端部側突条ｈ４が、案内傾斜面ｓ４ａ’に沿って案内されながら、上に位置する合成樹脂製パレットＰｂを構成する下部デッキＰ’の隅桁・中間桁下部連結桟４’に形成された嵌合凹部Ｖに挿入されることになる。このように構成されているので、下に位置する合成樹脂製パレットＰｂに載置されたコンテナーＨへの上に位置する合成樹脂製パレットＰａの載置が、円滑に、且つ、効率的に行なうことができる。
【符号の説明】
【００４７】
Ｃ・・・・・・・・・・・・・固定具嵌着空間部
Ｅ・・・・・・・・・・・・・固定具
ｅ５・・・・・・・・・・・・傾倒防止リブ
Ｈ・・・・・・・・・・・・・コンテナー
Ｐ・・・・・・・・・・・・・合成樹脂製パレット
Ｐ’・・・・・・・・・・・・下部デッキ
Ｐ”・・・・・・・・・・・・上部デッキ
Ｐ１・・・・・・・・・・・・下部スキッド
Ｐ２・・・・・・・・・・・・上部スキッド
Ｓ１〜Ｓ４・・・・・・・・・開口部側桟
ｓ４ａ、ｓ４ａ’・・・・・・案内傾斜面
１・・・・・・・・・・・・・隅桁
２・・・・・・・・・・・・・中間桁
３・・・・・・・・・・・・・中央桁
６・・・・・・・・・・・・・開口部
【図１】
0006023419.tif 000002
【図２】
0006023419.tif 000003
【図３】
0006023419.tif 000004
【図４】
0006023419.tif 000005
【図５】
0006023419.tif 000006
【図６】
0006023419.tif 000007
【図７】
0006023419.tif 000008
【図８】
0006023419.tif 000009
【図９】
0006023419.tif 000010
【図１０】
0006023419.tif 000011
【図１１】
0006023419.tif 000012
【図１２】
0006023419.tif 000013
【図１３】
0006023419.tif 000014
【図１４】
0006023419.tif 000015
【図１５】
0006023419.tif 000016
【図１６】
0006023419.tif 000017
【図１７】
0006023419.tif 000018
【図１８】
0006023419.tif 000019
【図１９】
0006023419.tif 000020
【図２０】
0006023419.tif 000021
【図２１】
0006023419.tif 000022
【図２２】
0006023419.tif 000023
【図２３】
0006023419.tif 000024
【図２４】
0006023419.tif 000025
【図２５】
0006023419.tif 000026
【図２６】
0006023419.tif 000027
【図２７】
0006023419.tif 000028
【図２８】
0006023419.tif 000029